(57)【要約】【課題】工作機械の操作盤に設けられているディスプレイに表示する画面を切り換える装置に関し、オペレータが所望の画面に速やかに移動することを可能にすると共に、自分が使いやすい画面で作業できるようにする。【解決手段】使用頻度の高い画面を呼び出す画面呼出アイコンを複数配置したメニュー画面と、どの画面が表示されていても常に表示されるショートカット画面とを備える。ショートカット画面には、メニュー画面を呼び出すメニュー呼出アイコンが配置される。画面呼出アイコンは、当該アイコンをショートカット画面に表示されるショートカットアイコンとして登録表示及び消去するプログラムの起動ボタン並びにそれらのアイコンで呼び出す画面の選択手段となっている。【選択図】図２
2015203969.tif 000002
【特許請求の範囲】
【請求項１】
移動先の画面を呼び出す画面呼出アイコンのみを配置した画面であって工作機械のディスプレイに切換表示されるメニュー画面と、当該メニュー画面を呼び出すメニュー呼出アイコンを備えて前記ディスプレイの一部に常時表示されるショートカット画面とを備え、
メニュー画面の画面呼出アイコンをショートカット画面に登録表示するアイコン登録手段と、
メニュー画面の画面呼出ボタンで呼び出される移動先画面の設定手段とを備えている、
工作機械の操作画面選択装置。
【請求項２】
アイコン登録手段が、当該登録表示又は当該登録表示の消去ボタンを備えた画面を呼び出す手段を備えている、請求項１記載の操作画面選択装置。 
【請求項３】
移動先画面の設定手段が、移動先となる画面一覧を表示する画面の呼び出し手段を備えている、請求項１又は２記載の操作画面選択装置。
【発明の詳細な説明】
【技術分野】
【０００１】
この発明は、工作機械の操作盤に設けられているディスプレイに表示する画面を切り換える装置に関するものである。
【背景技術】
【０００２】
工作機械に設置されているＮＣ装置は、ＮＣ装置メーカーが準備した標準機能と、工作機械メーカーが準備したオリジナル機能とを備えている。標準機能及びオリジナル機能を使用するとき、その情報の表示や操作に必要な画面が操作盤のディスプレイに表示される。標準機能を使用するときに必要な標準画面は、ＮＣ装置メーカーが作成し、オリジナル機能を使用するときに必要なオリジナル画面は、工作機械メーカーが作成することになる。
【０００３】
オリジナル機能は、標準機能の何れとも関係しない独立した機能として準備されることもあるが、標準機能にそれぞれの工作機械に独自な機能を追加するものである。従って、オリジナル機能を使用するために作成するオリジナル画面には、その機能に関連する標準機能の情報の表示欄や操作手段も同一画面に表示しておくのがオペレータにとって便利である。ここで言う操作手段とは、対象となる機能を使用するのに必要となる設定値を入力するための入力欄や操作に必要なソフトボタン（アイコン）などである。
【０００４】
近時の工作機械の操作盤に用いられるディスプレイは、いわゆるタッチパネルが多く使用されており、その画面に表示されているアイコンをタッチすることにより、そのアイコンに関連づけて登録されたマクロプログラムが実行されて工作機械の操作や運転モードの切り換え、ディスプレイに表示される画面の切り換えなどが行われる。
【０００５】
工作機械で加工される製品は多種多様であり、従って工作機械に要求される機能も多種多様である。そのため、工作機械メーカーは、それぞれの工作機械メーカー独自の独自機能として、あるいは特定のユーザーの要望に応じた特殊機能として、多種多様なオリジナル機能を準備し、それらのオリジナル機能を使用するのに必要なオリジナル画面を作成する。また、工作機械メーカーは、自社の工作機械のデザインや操作性を統一するために、標準機能を使用する際に表示する画面についても、当該メーカー独自の画面を作成することも多い。
【０００６】
工作機械のオペレータは、加工プログラムのチェックや機械の段取り作業時にディスプレイに表示される画面を切り換えながら所定の手順で作業を進めてゆく。ＮＣ装置や工作機械のメーカーは、オペレータの作業手順を考慮して、それぞれの画面に次の画面を呼び出すために用いるアイコンなどを配置している。ある画面を呼び出すまでに至る作業手順が複数あるときは、その画面への画面呼出手段も複数の画面に配置されることになる。
【０００７】
このような事情から、同一の機能を使用する際の画面として複数の画面が作成され、かつ同一の画面を呼び出すための画面呼出手段が複数の画面に設けられることになる。高機能の工作機械では、数百という数の画面が準備されている。
【０００８】
オペレータがディスプレイ画面を切り換えながら作業を行っている際に、現在表示されている画面には画面呼出手段が表示されていない移動先の画面を参照しなければならなくなる場合がある。例えば、保守点検の際に段取り作業で設定される数値を変更してみたいとか、加工プログラムの一部を修正したいというような場合である。
【０００９】
このような場合の画面切換装置として、例えば操作盤に設けられている画面選択ボタンを押し、移動先の画面番号を入力し、実行キーを押すという操作で画面の切り換えを行う画面切換装置が設けられていた。
【発明の概要】
【発明が解決しようとする課題】
【００１０】
しかし従来装置では、多数の画面が存在する上に、画面を切り換える手順が複数あるため、現在表示している画面から希望の画面に移動する際にどのような手順で移動すればよいか分かり難く、画面を移動する際の手数も多くて操作性が悪いという問題があり、未熟なオペレータは、何度もやり直さなければ所望の画面を表示できないという問題があった。
【００１１】
また、ＮＣ装置の標準画面とオリジナル画面とで同じような機能を持つ画面が複数あるため、混乱を招き、例えば、他の機械の操作経験のあるオペレータには、使い慣れた画面を使用したいが、望みの画面に切り換える操作が分からないために、使いにくい画面で操作を行わなければならないというような事態が生じていた。
【００１２】
この発明は、このような問題を解決して、オペレータが所望の画面に速やかに移動することを可能にすると共に、オペレータが使いやすい画面で作業できるようにすることを課題としている。
【課題を解決するための手段】
【００１３】
この発明の工作機械の操作画面選択装置は、使用頻度の高い画面を呼び出す画面呼出アイコン１（１ａ〜１ｔ）を複数配置したメニュー画面１０と、どの画面が表示されていても常に表示されるショートカット画面２０とを備えている。ショートカット画面２０には、メニュー画面１０を呼び出すメニュー呼出アイコン２が配置されている。
【００１４】
メニュー画面１０に配置されている画面呼出アイコン１（１ａ〜１ｔ）は、それぞれに割り当てられた移動先画面をディスプレイの主領域Ｍに表示する画面呼出プログラムの実行ボタンとなっている。これらの画面呼出アイコン１は、プログラムの作成、段取り、機械の運転状態などのカテゴリー別に色分けされ、かつそれぞれの作業手順に沿って必要な画面を順に呼び出すことができるように配置されるのが好ましい。
【００１５】
また、メニュー画面１０に配置されている画面呼出アイコン１は、当該アイコンをショートカット画面２０に表示されるショートカットアイコン３として登録表示及び消去するプログラムの実行ボタンともなっている。更にメニュー画面１０に配置されている画面呼出アイコン１は、それらのアイコンに割り当てられる画面の選択手段ともなっている。
【００１６】
ショートカット画面２０に配置されたメニュー呼出アイコン２がタッチされると、ディスプレイの主領域Ｍにメニュー画面１０が表示される。メニュー画面１０に配置された画面呼出アイコン１のいずれかをタッチすると、そのアイコンに割り当てられた操作画面がディスプレイに表示される。どの操作画面が表示されているときでも、ショートカット画面２０はディスプレイ上に表示されている。ショートカット画面２０に登録表示したショートカットアイコン３がタッチされると、そのショートカットアイコンに対応する画面呼出アイコン１に割り当てられている画面が表示される。
【００１７】
メニュー画面１０上の画面呼出アイコン１に所定の操作、例えば長押しなどの操作がされると、当該アイコンをショートカット画面２０に登録表示又は消去する手続が開始される。また、当該所定の操作により、当該アイコンに割り当てる移動先画面の選択手順が開始される。
【００１８】
これらの手順により、オペレータは、メニュー画面１０の中から自分が頻繁に使用する画面の呼出ボタンとなっている画面呼出アイコン１をショートカット画面２０に登録することで、どの画面が表示されているときでも当該頻繁に使用する画面をワンタッチで呼び出すことができる。
【発明の効果】
【００１９】
機械の運転操作時に頻繁に使用する画面を呼び出す画面呼出アイコン１をメニュー画面１０に配置し、常時表示されるショートカット画面２０に当該メニュー画面を呼び出すメニュー呼出アイコン２を設けたことで、画面の切換作業が容易になると共に、ショートカット画面２０に表示するショートカットアイコン３をオペレータが自由に登録表示及び消去できることで、どの画面を表示していても、頻繁に使用する画面への移動を容易かつ速やかに行うことができるようになる。
【００２０】
メニュー画面の画面呼出アイコン１を作業のカテゴリー別に色分けし、作業順に配置することで、所望の画面に移動するのに使用する画面呼出アイコン１をオペレータが容易に探し出すことができる。また、各画面呼出アイコン１に割り当てる移動先画面をオペレータが選択できるので、使い慣れた同一画面で操作ができ、オペレータの作業負担が軽減されると共に、操作ミスを低減することができる。
【図面の簡単な説明】
【００２１】
【図１】ディスプレイに表示される画面の一例を示す図
【図２】メニュー画面とショートカット画面の例を示す図
【図３】アイコンの登録・消去及び呼出画面の選択時の画面を示す図
【発明を実施するための形態】
【００２２】
図１は、機械運転中に操作盤のディスプレイに表示されるディスプレイ画面の一例を示した図で、種々の画面を切り換え表示する主領域Ｍと、ショートカット画面２０を表示する常時表示領域Ｓとに区画されている。機械の自動運転中及び手動運転中は、主領域Ｍの一部に機械状態表示画面３０が常時表示されている。
【００２３】
機械状態表示画面３０には、刃物台の送りモータ、主軸モータ、工具モータなどの加工に関連するモータの負荷を表示するモータ負荷表示要素３１（３１ａ〜３１ｃ）と、各刃物台の原点状態を表示する原点状態表示要素３２（３２ａ〜３２ｃ）と、オーバライド値表示要素３３と、機械状態の表示要素３４とが配置されている。
【００２４】
モータ負荷表示要素３１と原点状態表示要素３２とは、刃物台毎に一つの表示要素が実機の刃物台の配置に合わせた配置で設けられる。機械状態表示要素３４には、実機の主軸及び刃物台の配置に合わせてそれらの３次元図形３４Ｌ、３４Ｒ及び３４ａ、３４ｂ、３４ｃが表示され、主軸や刃物台の状態が動画や矢印で表示される。図示の例は、主軸軸線の上方に２個の刃物台を備え、下方に１個の刃物台を備えた２主軸対向旋盤での表示例である。
【００２５】
ショートカット画面２０には、主領域に図２に示すメニュー画面１０を呼び出すメニュー呼出アイコン２と、オペレータによって登録されて表示されている複数のショートカットアイコン３（３ｄ〜３ａ）とが配置されている。メニュー呼出アイコン２は、図２に示すメニュー画面１０を表示するメニュー画面表示プログラムの起動ボタンとなっている。
【００２６】
図１の画面表示状態でオペレータがメニュー呼出アイコン２をタッチすると、ディスプレイの主領域に図２のメニュー画面１０が表示される。メニュー画面１０には、オペレータが行う作業のカテゴリー、例えばプログラム作成作業のアイコン１ａ〜１ｇ、プログラムチェック作業のアイコン１ｈ〜１ｉ、機械の段取り作業のアイコン１ｊ〜１ｎ、機械の自動及び手動運転作業のアイコン１ｍ〜１ｒ、保守管理作業のアイコン１ｓ〜１ｔなどのカテゴリー別に、それぞれのカテゴリーの作業中に頻繁に使用する画面を呼び出すための画面呼出アイコン１（１ａ〜１ｔ）が配置されている。これらの画面呼出アイコン１は、カテゴリー別にまとめられて色分けされている。
【００２７】
各画面呼出アイコン１は、それぞれのアイコンに割り当てられた画面の表示プログラムの起動ボタンとなっており、これをタッチすることによって、それぞれのアイコンに割り当てられた移動先画面が図１で示した主領域Ｍに表示される。
【００２８】
メニュー画面の各画面呼出アイコン１には、それぞれの移動先画面に画面を切り換える画面呼出プログラムを実行させる機能の他に、自分自身をショートカット画面２０にも表示する登録手段と、ショートカット画面の自分自身の表示を消去する消去手段、及び、当該画面呼出アイコンによって呼び出す移動先画面を変更する移動先画面指定手段を呼び出す機能が設けられている。
【００２９】
例えば、メニュー画面上のある画面呼出アイコンを長押しするとかシフトキーを押しながらタップするとかで、図３に示すようなダイアログボックス４を表示する。図のダイアログボックス４には、「ＯＮ」又は「ＯＦＦ」と表示された登録ボタン４１と、移動先画面を設定する設定ボタン４２と、キャンセルボタン４３が配置されている。
【００３０】
自分自身がショートカット画面に表示されていない画面呼出アイコンを操作したときは、「ＯＮ」と表示された登録ボタンが表示され、これをタッチすることで操作対象のアイコンがショートカット画面にコピーされる。また、自分自身がショートカット画面に表示されている画面呼出アイコンを操作したときは、「ＯＦＦ」と表示された登録ボタンが表示され、これをタッチすることで操作対象のアイコンがショートカット画面から消去される。
【００３１】
また、設定ボタン４２を押すと、移動先画面の一覧画面が表示されて、所望の画面を選択して当該一覧画面に設けられている確認ボタンを押すことにより、各画面呼出アイコンで呼び出される移動先画面が変更される。
【００３２】
オペレータが所望の画面呼出アイコン１をショートカット画面２０に登録すれば、ショートカット画面２０は常時表示されるので、必要なときにワンタッチで該当する画面を呼び出すことができるようになる。また、設定ボタン４２で移動先画面を変更することで、オペレータは自分の使いやすい画面にして機械の操作を行うことができるようになる。
【００３３】
ダイアログボックス４から呼び出す一覧画面に表示する移動先画面は、選択された画面呼出アイコンに移動先として現在登録されている画面と同様な内容を表示する画面のみを表示して、オペレータの選択誤りにより、当該アイコンに元々登録されていた移動先画面とは全く異なる画面に変更されないようにすることが望ましい。
【００３４】
以上の実施形態の説明から理解されるように、この発明によれば、オペレータが種々の作業中に頻繁に参照する画面への画面呼出アイコン１を配置したメニュー画面１０を用意し、このメニュー画面１０を常時表示されるショートカット画面に設けたメニュー呼出アイコン２で呼び出すようにすれば、どのような画面表示状態からでもワンタッチでメニュー画面に切り換えることができるようになる。
【００３５】
また、オペレータがショートカット画面２０に登録したショートカットアイコン３で呼び出される画面については、どのような画面表示状態からでもワンタッチで当該画面を呼び出すことができるようになり、作業性が向上すると共に、オペレータの作業負担も軽減される。
【００３６】
また、メニュー画面に表示される画面呼出アイコン１に、当該アイコンによる移動先画面を変更する機能を付与することによって、オペレータは同種の複数の画面から最も使いやすい画面を選択して使用することができ、作業性が向上すると共に、作業ミスを低減することもできる。
【符号の説明】
【００３７】
１（１ａ〜１ｔ）  画面呼出アイコン
２  メニュー呼出アイコン
３  ショートカットアイコン
１０  メニュー画面
２０  ショートカット画面
Ｍ  ディスプレイの主領域
【図１】
2015203969.tif 000003
【図２】
2015203969.tif 000004
【図３】
2015203969.tif 000005